(57)【要約】【課題】汎用性が高く、確実に流れを遮断できる弁装置を提供する。【解決手段】弁装置１２を、吸入口２２と、吸引口２８と、弁体３０と、本体３４と、電磁弁５０及び５２とから構成した。弁体３０を、本体３４の中空部３６に沿って摺動するピストン３８と、中空部４０内でピストン３８と一体的に移動することによって吸引口２８を開閉する開閉弁４２とから構成した。中空部４０と吸引口２８との間にはテーパー部４４を設け、開閉弁４２の先端のテーパー部４６及びＯリング４８が密着するように構成した。【選択図】  図１
2005009569.tif 000002
【特許請求の範囲】
【請求項１】
流体を排出するための弁装置であり、
前記流体が流入する吸入口と、
真空ポンプに接続される吸引口と、
前記流体が該吸入口から該吸引口へ通過可能とし若しくは遮断する弁体を有する弁装置と、
を備え、
電気的信号によって又は機械的連動によって前記弁体が作動することにより、前記流体の前記吸入口から前記吸引口への通過を可能とし又は遮断する弁装置。
【請求項２】
前記弁体を作動させる電磁弁を備えた請求項１に記載する弁装置。
【請求項３】
前記弁体が往復運動することにより前記流体の前記吸入口から前記吸引口への通過を可能とし又は遮断する弁装置であり、該弁体を往動させる電磁弁及び該弁体を復動させる弁装置を備えた請求項１又は請求項２に記載する弁装置。
【請求項４】
前記弁体が、中空部を有する本体と、該本体の中空部に沿って摺動するピストンと、該中空部内でピストンと一体的に移動することによって吸引口を開閉する開閉弁とから構成された請求項１乃至請求項３のいずれかに記載する弁装置。
【請求項５】
前記吸引口の流れ方向が前記吸入口の流れ方向に対して略直角である請求項１乃至請求項４のいずれかに記載する弁装置。
【発明の詳細な説明】
【０００１】
【発明の属する技術分野】
本発明は、流体を排出するための弁装置に関する。
【０００２】
【従来の技術】
従来から、トイレの汚水を下水道へ流すための排出システムが案出されている（例えば、非特許文献１参照。）。この排出システム９は、図６に示すように、トイレ室１内の便器２に水を供給する流体供給装置３と、流し台４に水を供給する水道（流体供給装置）５と、流体供給装置３及び水道５によって供給された水を排出する排出経路６と、一方を排出経路６に他方を真空ポンプ７に接続され、排出経路６から真空ポンプ７への通過を可能とし若しくは遮断する弁体を有する弁装置８とを備えている。弁装置８は排水が一定量以上溜まった場合に弁が開いて排水を真空ポンプ７の方へ送るように構成されている。真空ポンプ７の方へ送られた水は一旦中継ポンプ場１００のタンク１０２に溜められた後、圧送ポンプ１０４によって下水道へ排出される。
【０００３】
この排出システム９の弁装置８は、排出システム９用であり、汎用性が低かった。また、流れを遮断する必要のある時には、より確実に遮断できる弁装置が望まれていた。
【０００４】
【非特許文献１】
“「真空式大容量輸送システム」発売”、大口径真空弁ユニット、［ｏｎｌｉｎｅ］、２００２年７月３１日、ＩＮＡＸ［２００３年２月５日検索］、インターネット＜ＵＲＬ：ｈｔｔｐ：／／ｗｗｗ．ｉｎａｘ．ｃｏ．ｊｐ／ｇｏｏｄｓ／ｇｅｓｕｉｄｏｕ−ｓｙｓｔｅｍ．ｈｔｍｌ＞
【０００５】
【発明が解決しようとする課題】
そこで、本発明者は、このような課題の原因を究明してこのような課題を解決するべく、鋭意研究を重ねた結果、本発明に至ったのである。
【０００６】
すなわち、本発明は、汎用性が高く、より確実に流れを遮断できる弁装置を提供することを目的とする。
【０００７】
【課題を解決するための手段】
本発明の弁装置は、流体を排出するための弁装置であり、前記流体が流入する吸入口と、真空ポンプに接続される吸引口と、前記流体が該吸入口から該吸引口へ通過可能とし若しくは遮断する弁体を有する弁装置と、を備え、電気的信号によって又は機械的連動によって前記弁体が作動することにより、前記流体の前記吸入口から前記吸引口への通過を可能とし又は遮断することを特徴とする。
【０００８】
本発明の弁装置は、前記弁装置において、前記弁体を作動させる電磁弁を備えたことを特徴とする。
【０００９】
本発明の弁装置は、前記弁装置において、前記弁体が往復運動することにより前記流体の前記吸入口から前記吸引口への通過を可能とし又は遮断する弁装置であり、該弁体を往動させる電磁弁及び該弁体を復動させる弁装置を備えたことを特徴とする。
【００１０】
本発明の弁装置は、前記弁装置において、前記弁体が、中空部を有する本体と、該本体の中空部に沿って摺動するピストンと、該中空部内でピストンと一体的に移動することによって吸引口を開閉する開閉弁とから構成されたことを特徴とする。
【００１１】
本発明の弁装置は、前記弁装置において、前記吸引口の流れ方向が前記吸入口の流れ方向に対して略直角であることを特徴とする。
【００１２】
【発明の実施の形態】
次に、本発明に係る弁装置の実施の形態について、図面に基づいて詳しく説明する。
【００１３】
図１及び図２において、符号１２は、吸入口２２から吸引口２８への排水の通過を可能とし若しくは遮断する弁体３０を有する本発明の弁装置である。
【００１４】
弁装置１２は、図１及び図２に示すように、吸入口２２と、吸引口２８と、弁体３０と、本体３４と、電磁弁５０及び５２とから構成される。弁体３０は、本体３４の中空部３６に沿って摺動するピストン３８と、中空部４０内でピストン３８と一体的に移動することによって吸引口２８を開閉する開閉弁４２とから構成される。中空部４０と吸引口２８との間にはテーパー部４４が設けられ、開閉弁４２の先端のテーパー部４６及びＯリング４８が密着するように構成されている。これにより、排出経路と配管とを弁体３０のみによって遮断する本発明においても、確実に遮断できる。また、テーパー部４４を流線形とすることにより、異物を円滑に排出できるように構成している。なお、中空部３６の底部には、ピストン３８の衝撃を緩和するとともに衝撃音を防止するためのリング状のクッション３９が設けられている。
【００１５】
また、ピストン３８の周囲には、中空部３６の内壁との密着を保つためのＯリング４５が設けられている。なお、吸入口２２と吸引口２８とは直角に構成され、ある程度減圧することができる。また、開閉弁４２が異物を挟み込まないように、吸引口２８を開いた時に、図２に示すように、テーパー部４６の周辺に空間が生じるように構成されている。また、クリーナー４９を設けることにより、開閉弁４２の表面を常に掃除してＯリング４７のシール性を確保するように構成されている。
【００１６】
電磁弁５０は、孔５４から空気を抜くために設けられ、一方の経路５６が大気に開放され、他方の経路５８が図示しない真空ポンプに接続されている。電磁弁５２は、孔６０から空気を抜くために設けられ、一方の経路６２が大気に開放され、他方の経路６４が図示しない真空ポンプに接続されている。また、電磁弁５０及び５２を作動させるスイッチを備え、スイッチの信号により作動するように構成されている。なお、スイッチの信号は電気的又は機械的に伝達される。また、このスイッチとともに作動するタイマーを備えている。すなわち、信号によりスイッチが作動して孔５４に他方の経路５８が連結され、孔５４から空気が抜かれ、弁体３０が図２に示すように後退して吸引口２８が開放される。また、吸引口２８が開放された後一定時間を経過したことをタイマーが認識することにより、スイッチが作動して孔５４が大気に開放されるとともに孔６０に他方の経路６４が連結され、孔６０から空気が抜かれ、弁体３０が図２に示すように突出して吸引口２８が閉鎖される。なお、吸引口２８を開放してから閉鎖するまでの一定時間は、例えば秒単位でタイマーに設定できる。
【００１７】
本発明の弁装置１２は、通常は吸引口２８が図１に示すように閉鎖しており、真空ポンプによって吸引口２８に負圧がかかっても、排出経路に負圧がかかることはない。この状態で、スイッチの信号により弁装置１２が作動して吸引口２８が図２に示すように開放する。吸引口２８が開放することにより、真空ポンプによって弁装置１２を介して吸入口２２に負圧がかかり、供給された水が弁装置１２を介して真空ポンプの方へ送られる。このため、排出経路に直接負圧がかかることにより、水が真空ポンプ７の方へ送られる。次に、タイマーが一定時間の経過を認識すると、弁装置１２が作動して吸引口２８が図１に示すように閉鎖し、水の吸引排出は終了する。
【００１８】
以上、本発明の一実施形態について説明したが、本発明の弁装置は、その他の形態でも実施し得るものである。
【００１９】
例えば、図３に示す弁装置７０であっても良い。この弁装置７０は、吸入口２２と、吸引口２８と、弁体３０と、本体３４と、電磁弁５０とから構成される。弁体３０は、バネ７２の付勢力によって吸引口２８を閉鎖するように構成されている。この場合、電磁弁５０を作動させない時には電磁弁５０が大気と通気状態に接続されているため、バネ７２の付勢力によって吸引口２８を閉鎖できる。
【００２０】
また、図４に示す弁装置８０であっても良い。この弁装置８０は、吸入口２２と、吸引口２８と、弁体３０と、本体３４と、電磁弁５０とから構成される。弁体３０は、バネ７２の付勢力によって吸引口２８を閉鎖するように構成されている。ピストン３８の周囲には、Ｏリング４５の代替としてダイアフラム８２が設けられている。また、中空部３６の底部にはバネ７２の付勢力によってダイアフラム８２が捻れるのを防止するために、円盤状又はリング状のテフロン（Ｒ）シート８３が設けられている。なお、摩擦抵抗をより少なくするためには、テフロン（Ｒ）シート８３を２層以上にすることが望ましい。テフロン（Ｒ）シート８３は、ピストン３８側に設けても良い。
【００２１】
また、図５に示す弁装置９０であっても良い。この弁装置９０は、吸入口２２と、吸引口２８と、弁体３０と、本体３４と、電磁弁５０及び５２とから構成される。ピストン３８の周囲には、Ｏリング４５の代替としてダイアフラム８２が設けられている。
【００２２】
以上、本発明の弁装置について図面に基づいて説明したが、図面で示した形態には限定されない。例えば、本発明の弁装置は、排水に使用することには限定されない。また、対象となる流体は水に限定されず、その他の液体又は気体であっても良い。
【００２３】
その他、本発明の技術的範囲には、その趣旨を逸脱しない範囲で当業者の知識に基づき種々なる改良，修正，変形を加えた態様も含まれる。また、同一の作用又は効果が生じる範囲内で、いずれかの発明特定事項を他の技術に置換した形態で実施しても良い。
【００２４】
【発明の効果】
本発明の弁装置によれば、流量変動や水位に対応することに限定されず、種々の信号によって弁体が作動することにより、流体の吸入口から吸引口への通過を可能とする構成であるため、流体の流れを制御する弁装置として汎用的に利用できる。例えば、家庭においては、流し台、トイレ、又は洗面台の排水に利用できる。また、工場又は研究所の排水にも利用できる。また、流体の流量変動に対応して弁体が作動するため、流れを遮断する必要のある時に迅速かつタイムリーに流れを遮断できる。すなわち、本発明の弁装置は、汎用性が高く、より確実に流れを遮断できる。
【００２５】
また、弁体を作動させる電磁弁を備えた本発明の弁装置によれば、電磁弁によって、より確実に流れを遮断できる。また、弁体を往動させる電磁弁及び弁体を復動させる弁装置を備えた本発明の弁装置によれば、往動の駆動手段及び復動の駆動手段を別個に設けることにより、更に確実に流れを遮断できる。
【００２６】
弁体が、中空部を有する本体と、本体の中空部に沿って摺動するピストンと、中空部内でピストンと一体的に移動することによって吸引口を開閉する開閉弁とから構成された本発明の弁装置によれば、
【図面の簡単な説明】
【図１】本発明の弁装置を示す側面断面図であり、吸引口を閉鎖した状態を示す図である。
【図２】図２の弁装置を示す側面断面図であり、吸引口を開放した状態を示す図である。
【図３】本発明の弁装置の他の実施形態を示す側面断面図であり、吸引口を閉鎖した状態を示す図である。
【図４】本発明の弁装置の更に他の実施形態を示す側面断面図であり、吸引口を閉鎖した状態を示す図である。
【図５】本発明の弁装置の更に他の実施形態を示す側面断面図であり、吸引口を閉鎖した状態を示す図である。
【図６】従来の排出システムを示す側面図である。
【符号の説明】
１２、７０、８０、９０：弁装置
２０：排出経路
２２：吸入口
２６：配管
２８：吸引口
３０：弁体
３４：本体
３６、４０：中空部
３８：ピストン
４２：開閉弁
【図１】
2005009569.tif 000003
【図２】
2005009569.tif 000004
【図３】
2005009569.tif 000005
【図４】
2005009569.tif 000006
【図５】
2005009569.tif 000007
【図６】
2005009569.tif 000008